(57)【要約】【課題】  光を反射する疑似餌は、夜間に反射する光がないと魚が付かない。又、発光体を有する疑似餌は、明る過ぎて変化に乏しい欠点があり魚が付かない。しかし、このような疑似餌でも、生の餌と同等に漁をしたいという願望がある。【解決手段】  疑似餌は、発光体を収納などできる構造とし、金属や合成樹脂及び貝などの反射板を貼った胴には、光を通す孔をあける。そして、光を通す合成樹脂などの疑似餌や発光体には、色彩を持つ合成樹脂・薄いアルミニウム・薄い貝などを有する多様な粘着シート及び熱収縮合成樹脂管に、光を通す孔をあけ、これを疑似餌の胴や発光体に貼る。さらに、疑似餌の胴を密閉構造とし、材料の素材色を隠し、ほのかな明るさで疑似餌の大きさを示すために、光を通す孔を設けた疑似餌の上に夜光性合成樹脂などを貼り、光を通す孔で発光体の光を制御する疑似餌及び発光体を作り、夜間においても生の餌と同等に漁をします。【選択図】      図１
2007000131.tif 000002
【特許請求の範囲】
【請求項１】
疑似餌は、発光体を収納などできる構造とし、金属や合成樹脂及び貝などの反射板を貼った胴には、光を通す孔をあける。そして、光を通す合成樹脂などの疑似餌や発光体には、色彩を持つ合成樹脂・薄いアルミニウム・薄い貝などを有する多様な粘着シート及び熱収縮合成樹脂管などに、光を通す孔をあけ、又、光を通す粘着シート及び疑似餌や発光体には、プリントや塗装で、光を通す孔から光が出るように画き、これらを疑似餌や発光体に定着させる。さらに、疑似餌の胴を密閉構造とし、材料の素材色を隠し、ほのかな明かりで疑似餌の大きさを示すために、光を通す孔を設けた疑似餌の上に夜光性合成樹脂などを貼り、光を通す孔で発光体の光を制御する事を特徴とした光を通す孔を設けた疑似餌及び発光体。
【請求項２】
疑似餌の材料である金属や合成樹脂及び貝や角などからなる胴の管に、光を通す孔をあける。そして、色彩を持つ合成樹脂・薄いアルミニウム・薄い貝を貼り付けた粘着シートなど多様なもの及び熱収縮合成樹脂管などに、光を通す孔をあけ、又、光を通す粘着シート及び疑似餌用の管には、プリントや塗装で、光を通す孔から光が出るよう画き、光を通す孔で発光体の光を制御する事を特徴とした光を通す孔を設けた粘着シート及び疑似餌用の管。
【発明の詳細な説明】
【技術分野】
【０００１】  本発明は、疑似餌に発光体を収納し、胴に光を通す孔をあけて発光体の光を制御し、水中で動かしてきらめかせ、小魚に見せる疑似餌に関する。
【背景技術】
【０００２】  漁をするために従来からある疑似餌は、光を反射する疑似餌と電気や化学反応による発光体を使う疑似餌がある。
光を反射する疑似餌は、日が暮れて辺りが暗くなり、太陽などの光がなくなると反射できず、烏賊や魚からは見えなくなる。又、疑似餌は、生の餌と異なり匂いもない事から、魚の付きがなくなる。
発光体を使う疑似餌は、夜に発光させて見ると懐中電灯に近い明るさで、水中での確認距離も大き過ぎます。
この疑似餌を海中に入れ、闇の中にいる烏賊や魚に見せても、美味しい餌には見えないのか反応がなく、購入した疑似餌は無駄になっています。【０００３】
【特許文献】  実願平      ８−８０５６
【発明の開示】
【発明が解決しようとする課題】
【０００４】  光を反射する疑似餌は、夜間に光のない所で行う漁には適さないため、当然生の餌を使用する事になり疑似餌は敬遠される。しかし、このような疑似餌でも、生の餌と同等に疑似餌で漁をしたいという願望もあります。
【課題を解決するための手段】
【０００５】  そこで発想を変え、次の設計条件で、疑似餌に光を通す孔を設け、魚に興味を与える事にした。
設計条件１．
疑似餌の胴に発光体を収納などできる構造とし、金属や合成樹脂の胴には、光を通す孔をあける。そして、光を通す合成樹脂などの疑似餌や発光体には、色彩を持つ合成樹脂や薄いアルミニウム・薄い貝など有する多様な粘着シート及び熱収縮合成樹脂管に、光を通す孔をあけ、又、プリントや塗装によって光を通す孔を画いた粘着シートを作り、これを疑似餌の胴や発光体に貼り、光を通す孔で発光体の光を制御する。
設計条件２．
疑似餌の胴を密閉構造とし、材料の素材色を隠し、疑似餌の大きさを示すために、光を通す孔をあけた疑似餌の上に夜光性合成樹脂を貼る。
【発明の効果】
【０００６】  発光体を発光させて疑似餌に装着し、釣りをしても、周囲が明るいうちは外から、疑似餌の光は見えないが、暗くなると、光を通す孔とほのかな明かりが確認されます。
疑似餌のほのかな明かりは、疑似餌の大きさが確認できる程度が適切で、必要以上に明るいと魚は逃げます。
この疑似餌を、水中で上下に、又、魚が泳ぐように動かし、光を通す孔で発光体の光を制御し、光を通す孔とほのかな明かりを設けた疑似餌に変身させると、魚は挑発に乗ってきます。
実施結果では、光を通す孔とほのかな明かりの相乗効果で生の餌に負けない疑似餌となりました。
【発明を実施するための最良の形態】
【実施例１】
【０００７】  図１に示す疑似餌は、１胴の一端に  ２特殊ナットを、又、反対側に、３釣針用ピンを接続して強固に接合し、一体の骨組を構成する。そして、釣糸と接続可能な  ４リング付きボルトを  ２特殊ナットにねじ込み、１胴の中に  ５発光体を収納でき空間を設ける。
１胴の内部への水漏れとカビや錆の発生を防ぐため、６  Ｏリングを備えて密閉構造にする。【０００８】  疑似餌は、水中で使用するため大きな水圧が加えられ、又、重さも勘案する必要がある事から、１胴にはアルミニウム管を・  ２特殊ナットには真鍮を及び  ３釣針用ピンには鉄を使用して骨組を構成しています。そして、１胴の管に  ７光を通す孔をあけて、その孔から  ５発光体の光を外に出るようにします。
図２は、１胴の展開図で、７光を通す孔の配列を記載しています。
８烏賊針は、図１に示すように  ３釣針用ピンに取付けます。【０００９】  疑似餌の  １胴を密閉構造とし、材料の素材色を隠し、疑似餌の大きさを示すために、７光を通す孔を備える疑似餌の上に１ｍｍ程度の薄い  ９夜光性合成樹脂を貼って、疑似餌の胴を覆うが、光は  ９夜光性合成樹脂の素材色を通して外に光ります。【００１０】  上記の構造によって、疑似餌の胴に設けた７光を通す孔で  ５発光体の光を制御できる疑似餌を作る事ができたのです。【００１１】  完成した疑似餌をテストした折に、９夜光性合成樹脂全体がほのかに明るくなって，疑似餌の大きさが確認され、その中に光を通す孔から光が輝いて見えた。
出来上がった疑似餌を、そのまま使用しても差し支えありませんが、相手も生き物でありますから、デリケートな烏賊や魚に対しては、疑似餌の上にさらに、光を通すなめし皮や色彩の豊かな合成樹脂などを貼り、柔らかな感触を演出する必要もあります。【００１２】  密閉構造の疑似餌は、深い海で大きな圧力を受けて胴が押し潰されて破損する事がありますから、このような時は、疑似餌の一部に海水を導入する孔を設置する事もあります。
水圧の高い深海の時は、海水を胴の中に導き開放型とし、水圧の低い時に密閉型とすれば、疑似餌の材料を透明な合成樹脂に置き換える事ができます。
この時は、光を通す孔をあけた粘着シートを貼り、透明な合成樹脂の疑似餌に光を通す孔を与えます。【００１３】  疑似餌の光を通す孔を作る手段は、次のように施工します。
光を通さない金属や合成樹脂及びその上に貝などの反射板を貼った胴には、光を通す孔をあける。
光を通す透明な合成樹脂などの疑似餌や発光体には、色彩を持つ合成樹脂・薄いアルミニウム・薄い貝などを有する多様な粘着シート及び熱収縮合成樹脂管などに、光を通す孔をあけ、必要な大きさや長さに切って、透明な疑似餌や発光体の上に貼り、光を通す孔を持たせます。
光を通す粘着シート及び疑似餌や発光体には、プリントや塗装で、光を通す孔から光が出るようにします。
その手法は、光を通す孔の部分を残して、その他の部分を全て塗りつぶし、光を通す孔から光が鮮明に出るようにする事です。
【実施例２】
【００１４】  図３には、折り曲げて発光させる化学物質の  ５発光体に直接、７光を通す孔を有する、折り曲げる事を妨げない柔らかな  １０黒色合成樹脂のシートを貼り、さらに、ほのかな明かりで相乗効果を得るために、柔らかな  ９夜光性合成樹脂を貼って、光を通す孔とほのかな明かりを持つ発光体を示します。
光を通す孔を持つ発光体を使用する時は、折り曲げて発光させますから、柔らかな素材が要求されます。光については、疑似餌と同様の手段で構成されるから、光を通す孔で発光体の光を制御します。【００１５】  実地例では、１０黒色合成樹脂の厚さは、０．２５ｍｍで、９夜光性合成樹脂の厚さは、０．５ｍｍでした。
光を通す孔の大きさについては、発光体の大きさに必ずしも比例するものではなく、魚の大きさや種類と経験によって決まります。
図１に示す疑似餌の光を通す孔の直径は、２．２ｍｍで、水深は１０ｍが適切でした。【００１６】  上記、光を通す孔を持つ発光体の両端又は片側に、釣糸と釣針を取付けるためのリングを設けると、疑似餌となります。
【産業上の利用可能性】
【００１７】  疑似餌の光を通す孔で発光体の光を制御し、夜間に生の餌と同等に漁をする事が可能だという事は、薄暗い深海では、日中でも使用可能だという事になります。
【図面の簡単な説明】
【００１８】
【図１】    疑似餌の構造を側面から見た部分断面図
【図２】    光を通す孔を示す胴の展開図
【図３】    光を通す孔を設けた発光体を側面から見た部分断面図
【符号の説明】
【００１９】  １．      胴
２．      特殊ナット
３．      釣針用ピン
４．      リング付きボルト
５．      発光体
６．      Ｏリング
７．      光を通す孔
８．      烏賊針
９．      夜光性合成樹脂
１０．      黒色合成樹脂
【図１】
2007000131.tif 000003
【図２】
2007000131.tif 000004
【図３】
2007000131.tif 000005